(57)【特許請求の範囲】
【請求項１】
動画を撮影し、前記撮影した動画を記憶する動画撮像手段と、
動画の撮像開始指示を受け付ける第１の受付手段と、
前記動画の撮影中に、静止画の撮像指示を受け付ける第２の受付手段と、
前記第２の受付手段が前記静止画の撮像指示を受け付けた場合に現在設定されているシャッタースピード値及び搭載されているレンズの焦点距離値を取得して保存する保存手段と、
前記設定されているシャッタースピード値とレンズの焦点距離値に基づいて、前記撮影中の動画が手振れ限界値に達しているかいなかを判断する判断手段と、
を備え、
前記判断手段が手振れ限界値には達していないと判断した場合には、静止画としてユーザが見るために、前記設定されているシャッタースピード値を前記手振れ限界値に近づくように変更した動画を前記動画撮像手段が所定時間撮影して記憶し、
前記変更した動画を所定時間記憶した後には前記動画撮像手段が前記保存されているシャッタースピード値に戻した動画を記憶することを特徴とする撮像装置。
【請求項２】
前記動画の撮影中に、前記第２の受付手段が静止画の撮像指示を受け付けた場合には、
前記動画撮像手段が、前記設定されているシャッタースピード値の動画と、前記手振れ限界値に近づくようにシャッタースピード値を所定時間変更した動画と、前記保存されているシャッタースピード値に戻した動画を連続して記憶することを特徴とする請求項１に記載の撮像装置。
【請求項３】
前記判断手段が手振れ限界値に達していると判断した場合には、前記設定されているシャッタースピード値を前記手振れ限界値に近づくように変更せずに前記設定されているシャッタースピード値のままで前記動画撮像手段が動画を記憶することを特徴とする請求項１または請求項２に記載の撮像装置。
【請求項４】
前記設定されているシャッタースピード値を前記手振れ限界値に近づくように変更した動画の中から静止画を抽出する抽出手段と、
前記抽出された静止画を記憶する静止画記憶手段と、
をさらに備えることを特徴とする請求項１乃至請求項３のいずれか1項に記載の撮像装置。
【請求項５】
前記抽出手段は複数の異なる静止画を設定変更した動画の中から抽出し、
前記動画撮像手段による撮影した動画の記憶が終了したと判断されたあとに、前記静止画記憶手段が記憶している前記複数の異なる静止画を比較可能に並べて表示する比較表示制御手段と、
をさらに備えることを特徴とする請求項４に記載の撮像装置。
【請求項６】
前記第２の受付手段が前記撮像指示を受け付けたタイミングが、前記撮像装置に搭載されているレンズのオートフォーカス動作実行中であるか否かを判断するオートフォーカス動作判断手段と、
前記オートフォーカス動作判断手段が前記オートフォーカス動作実行中であると判断した場合に、前記第２の受付手段が前記撮像指示を受け付けないことを特徴とする請求項１乃至請求項５のいずれか1項に記載の撮像装置。
【請求項７】
撮像装置の動画撮像手段が、動画を撮影し、前記撮影した動画を記憶する動画撮像工程と、
前記撮像装置の第１の受付手段が、動画の撮像開始指示を受け付ける第１の受付工程と、
前記撮像装置の第２の受付手段が、前記動画の撮影中に、静止画の撮像指示を受け付ける第２の受付工程と、
前記撮像装置の保存手段が、前記第２の受付工程で前記静止画の撮像指示を受け付けた場合に現在設定されているシャッタースピード値及び搭載されているレンズの焦点距離値を取得して保存する保存工程と、
前記撮像装置の判断手段が、前記設定されているシャッタースピード値とレンズの焦点距離値に基づいて、前記撮影中の動画が手振れ限界値に達しているかいなかを判断する判断工程と、
を含み、
前記判断工程で手振れ限界値には達していないと判断した場合には、静止画としてユーザが見るために、前記設定されているシャッタースピード値を前記手振れ限界値に近づくように変更した動画を前記動画撮像工程で所定時間撮影して記憶し、
前記変更した動画を所定時間記憶した後には前記動画撮像工程で前記保存されているシャッタースピード値に戻した動画を記憶することを特徴とする撮像装置の制御方法。
【請求項８】
撮像装置を、
動画を撮影し、前記撮影した動画を記憶する動画撮像手段と、
動画の撮像開始指示を受け付ける第１の受付手段と、
前記動画の撮影中に、静止画の撮像指示を受け付ける第２の受付手段と、
前記第２の受付手段が前記静止画の撮像指示を受け付けた場合に現在設定されているシャッタースピード値及び搭載されているレンズの焦点距離値を取得して保存する保存手段と、
前記設定されているシャッタースピード値とレンズの焦点距離値に基づいて、前記撮影中の動画が手振れ限界値に達しているかいなかを判断する判断手段と、
して機能させ、
前記判断手段が手振れ限界値には達していないと判断した場合には、静止画としてユーザが見るために、前記設定されているシャッタースピード値を前記手振れ限界値に近づくように変更した動画を前記動画撮像手段が所定時間撮影して記憶し、
前記変更した動画を所定時間記憶した後には前記動画撮像手段が前記保存されているシャッタースピード値に戻した動画を記憶するための撮像装置で読み取り実行可能なプログラム。
【発明の詳細な説明】
【技術分野】
【０００１】
本発明は、撮像装置およびその制御方法とプログラムに関する。
【背景技術】
【０００２】
動画を撮影しながら静止画を撮影できる撮像装置が利用されている。
【０００３】
特許文献１には、動画像記録中に静止画像を撮影する場合に、動画像記録を中断することなく、動画像ファイルを形成する複数の圧縮符号化されたフレーム画像から静止画像を容易に作成する撮像装置の技術が開示されている。
【０００４】
特許文献２には、単位期間、高速なシャッタースピードで画像を撮影し、撮影した動画像の再生中に静止指示を受けると、高速なシャッタースピードで撮影された画像の中から鮮明な静止画像を検索して再生する技術が開示されている。
【先行技術文献】
【特許文献】
【０００５】
【特許文献１】特開２０１３−１７５９７８号公報
【特許文献２】特開平８−２３５６７３号公報
【発明の概要】
【発明が解決しようとする課題】
【０００６】
動画記録中に静止画撮影を行うと、動画記録が一旦停止して静止画の設定で撮影を行うので、静止画設定で撮影中の動画には違和感がありスムーズな動画再生ができない。
【０００７】
特許文献１の技術では、動画像記録を中断することなく、動画像ファイルを形成する複数の圧縮符号化されたフレーム画像から静止画像を容易に作成することができるが、静止画としてユーザが見た時でも手振れをしていない綺麗な動画を記録することはできない。
【０００８】
特許文献２の技術では、高速なシャッタースピードで撮影された画像の中から鮮明な静止画像を検索して再生することができるが、静止画としてユーザが見た時でも手振れをしていない綺麗な動画を記録することはできない。
本発明は、静止画としてユーザが見た時でも手振れをしていない綺麗な動画を、撮影中の動画内の一部に記憶できる仕組みを提供することを目的とする。
【課題を解決するための手段】
【０００９】
本発明は、動画を撮影し、前記撮影した動画を記憶する動画撮像手段と、動画の撮像開始指示を受け付ける第１の受付手段と、前記動画の撮影中に、静止画の撮像指示を受け付ける第２の受付手段と、前記第２の受付手段が前記静止画の撮像指示を受け付けた場合に現在設定されているシャッタースピード値及び搭載されているレンズの焦点距離値を取得して保存する保存手段と、前記設定されているシャッタースピード値とレンズの焦点距離値に基づいて、前記撮影中の動画が手振れ限界値に達しているかいなかを判断する判断手段と、を備え、前記判断手段が手振れ限界値には達していないと判断した場合には、静止画としてユーザが見るために、前記設定されているシャッタースピード値を前記手振れ限界値に近づくように変更した動画を前記動画撮像手段が所定時間撮影して記憶し、前記変更した動画を所定時間記憶した後には前記動画撮像手段が前記保存されているシャッタースピード値に戻した動画を記憶することを特徴とする撮像装置。
【００１０】
また、前記動画の撮影中に、前記第２の受付手段が静止画の撮像指示を受け付けた場合には、前記動画撮像手段が、前記設定されているシャッタースピード値の動画と、前記手振れ限界値に近づくようにシャッタースピード値を所定時間変更した動画と、前記保存されているシャッタースピード値に戻した動画を連続して記憶することを特徴とする。
また、前記判断手段が手振れ限界値に達していると判断した場合には、前記設定されているシャッタースピード値を前記手振れ限界値に近づくように変更せずに前記設定されているシャッタースピード値のままで前記動画撮像手段が動画を記憶することを特徴とする。
また、前記設定されているシャッタースピード値を前記手振れ限界値に近づくように変更した動画の中から静止画を抽出する抽出手段と、前記抽出された静止画を記憶する静止画記憶手段と、をさらに備えることを特徴とする。
【００１１】
また、前記抽出手段は複数の異なる静止画を設定変更した動画の中から抽出し、前記動画撮像手段による撮影した動画の記憶が終了したと判断されたあとに、前記静止画記憶手段が記憶している前記複数の異なる静止画を比較可能に並べて表示する比較表示制御手段と、をさらに備えることを特徴とする。
【００１２】
また、前記第２の受付手段が前記撮像指示を受け付けたタイミングが、前記撮像装置に搭載されているレンズのオートフォーカス動作実行中であるか否かを判断するオートフォーカス動作判断手段と、前記オートフォーカス動作判断手段が前記オートフォーカス動作実行中であると判断した場合に、前記第２の受付手段が前記撮像指示を受け付けないことを特徴とする。
【発明の効果】
【００１３】
本発明により、静止画としてユーザが見た時でも手振れをしていない綺麗な動画を、撮影中の動画内の一部に記憶できる仕組みを提供することが可能となる。
【図面の簡単な説明】
【００１４】
【図１】本発明の撮像装置のハードウェア構成図の一例を示す図である。
【図２】本発明の撮像装置が実行するフローチャートを示す図である。
【図３】本発明の撮像装置が実行するフローチャートを示す図である。
【図４】本発明の撮像装置が表示する操作画面の一例を示す図である。
【図５】本発明の撮像装置が表示する操作画面の一例を示す図である。
【図６】本発明の撮像装置が表示する操作画面の一例を示す図である。
【図７】本発明の撮像装置が表示する操作画面の一例を示す図である。
【図８】本発明の撮像装置が表示する操作画面の一例を示す図である。
【図９】本発明の撮像装置が表示する操作画面の一例を示す図である。
【図１０】本発明の撮像装置が表示する操作画面の一例を示す図である。
【図１１】本発明の撮像装置が記憶する設定データの構成例である。
【図１２】本発明の撮像装置が記憶する内部データの構成例である。
【図１３】本発明の撮像装置が記憶する内部データの構成例である。
【発明を実施するための形態】
【００１５】
以下、図面を参照して、本発明の実施形態を詳細に説明する。
図１を説明する。
図１は、本発明の実施形態に係る撮像装置の一例としてデジタルカメラの主な機能構成を示すブロック図である。
【００１６】
撮影レンズ１０は、その焦点距離を連続的に変えるためのズームレンズと、ピントを調整するフォーカスレンズとから構成されている。これらのレンズは、ズーム制御部４４、測距制御部４２により駆動される。撮影レンズ１０は、撮像素子１４の撮像面上に被写体を結像する。撮像素子１４は、撮像面上に結像された被写体像の光強度に応じた電気信号を出力する光電変換撮像素子であり、ＣＣＤ型やＭＯＳ型の個体撮像素子が用いられる。
【００１７】
絞り１２は、露光制御部４０により稼働される。撮像素子１４からのアナログ映像信号は、Ａ／Ｄ変換器１６に入力され、アナログ信号からデジタル信号に変換される。Ａ／Ｄ変換されたデジタル信号は、ガンマ補正、ホワイトバランス補正などの種々の画像処理が画像処理部２０で施される。画像表示メモリ２４は、撮像素子１４で撮像された複数フレーム分のデータを記憶することができるメモリである。画像処理された画像データは、画像表示メモリ２４に一時記憶される。
【００１８】
システム制御部１１２は、露光制御部４０やカメラ姿勢検知部１０６等と接続され、カメラが動作する際のシーケンス制御を行う。システム制御部１１２には、カメラの電源をオン／オフする電源スイッチ７２、レリーズに連動して、設定されたシャッタースピード値でシャッターが開閉するシャッタースイッチ６２及び全押しスイッチ６４、表示部５４に表示されるカメラを撮影する際の各種メニュー内容を選択するための操作部７０が設けられている。被写体輝度が低い場合には、フラッシュ４８を発光させる。なお、画像表示部２８と表示部５４を同一の構成としてもよい。また、本実施の形態における画像表示部２８（表示部５４）は、タッチパネル機能を有しており、ユーザによりタッチされた位置を特定することが可能となっている。このタッチパネル機能で必要なタッチ検出機構は画像表示部２８（表示部５４）に備えているものとして説明する。なお、タッチパネル機能自体は既知の技術であり、詳細な説明は省略する。
【００１９】
画像表示メモリ２４に記憶された画像データは、画像処理部２０で変換された画像データの他に被写体の顔などの特徴位置を求めるフォーカス情報または固定位置に配置されたピント確認位置とピントが一致した場所の情報やカメラ姿勢検知部１０６の情報などの影情報も一緒に記憶される。画像表示メモリ２４に記憶されたデータは、メモリカード等の記憶媒体２００，２１０（記録部２００、２１０）に記録される。画像データを記憶媒体２００，２１０に記録する際には、一般的に所定の圧縮形式、例えばＪＰＥＧ方式でデータ圧縮が行われる。圧縮伸長部３２は、画像データや撮影情報を記憶媒体２００，２１０に記録する際のデータ圧縮、及び記憶媒体２００，２１０から圧縮された画像データの伸長処理を行う。記憶媒体２００は、例えばコンパクトフラッシュ（登録商標）、メモリカード、ＳＤメモリカードのことである。
【００２０】
不揮発性メモリ５６は記憶されたデータ等を電気的に消去・記録可能な不揮発性メモリであり、例えばＥＥＰＲＯＭ等が用いられる。メモリ５２はシステム制御回路５０の動作用の定数、変数、プログラム等を記憶するメモリである。通信部は、通信機能を有する。
【００２１】
アンテナ（有線通信の場合はコネクタ）１１２は、通信部によりデジタルカメラを、パケット網、ネットワーク、インターネットを介して他の機器と接続する。コネクタ８２，８４は、電源制御部８０と電源８６とを接続する接続部である。電源８６は、アルカリ電池やリチウム電池等の一次電池、ＮｉＣｄ電池やＮｉＭＨ電池、Ｌｉ電池等の二次電池、ＡＣアダプター等からなる。
【００２２】
画像表示メモリ２４に書き込まれた表示用の画像データはＤ／Ａ変換回路２６を介して画像表示部２８により表示される。画像データを画像表示部２８に逐次表示することで、電子ファインダ機能を実現することが可能である。光学ファインダ１０４は、画像表示部２８による電子ファインダ機能を使用することなしに、光学ファインダのみを用いて撮影を行うことが可能である。
【００２３】
タイミング発生回路１８は、メモリ制御部２２及びシステム制御部１１２により制御される。メモリ３０は撮影した静止画像や動画像を格納するためのメモリである。バリア制御部４６は保護部１０２の動作を制御する。モードダイアルスイッチ６０は、電源オフ、自動撮影モード、撮影モード、パノラマ撮影モード、動画撮影モード、再生モード、マルチ画面再生・消去モード、ＰＣ接続モード等の各機能モードを切り替え設定することができる。再生モードスイッチ６６は、本実施の形態で説明している画像再生処理を実行させるためのモードスイッチである。姿勢モードスイッチ６８は、カメラを縦位置で撮影しているか横位置で撮影しているかを自動的に判断するスイッチである。
【００２４】
記憶媒体２００は、半導体メモリや磁気ディスク等から構成される記録部２０２と、デジタルカメラ１００との間のインターフェースであるＩ／Ｆ２０４と、デジタルカメラと接続を行うコネクタ２０６とを備える。記憶媒体２１０は、半導体メモリや磁気ディスク等から構成される記録部２１２と、デジタルカメラとの間のインターフェースであるＩ／Ｆ２１４と、デジタルカメラと接続を行うコネクタ２１６とを備える。Ｉ／Ｆ９０，９４はメモリカードやハードディスク等の記憶媒体２００，２１０とシステムバスとを接続するインターフェースである。コネクタ９２，９６は、メモリカードやハードディスク等の記憶媒体２００，２１０とＩ／Ｆ９０，９４とを接続する接続部である。記憶媒体着脱検知手段９８は、コネクタ９２，９６に記憶媒体２００，２１０が装着されているか否かを検知するセンサである。
【００２５】
画像データエリアには、オリジナルの画像が格納されている。画像データは、所定の圧縮形式、例えば、ＪＰＥＧ方式でデータ圧縮がなされているが、これに限定されるものではない。記憶装置５６には、圧縮・伸長を行うソフトウェアが記憶されており、ＲＡＭ５２に取り込んだ撮影情報を含む画像データの圧縮や圧縮された画像データの伸長処理を行う。
図２を説明する。
【００２６】
図２は、本発明の実施形態を表すために撮像装置１００のシステム制御部１１２または図示しない撮像装置１００のＣＰＵが実行するユーザによる動画撮影開始指示を受け付けるフローチャートである。
ステップＳ１００で撮像装置１００は、図５のようにユーザが予め設定した動画撮影中の静止画設定を参照する。
【００２７】
ステップＳ１０１で撮像装置１００は、現在は動画撮影中の静止画設定であるか否かを判断する。現在は動画撮影中の静止画設定であると判断した場合には、ステップＳ１０２に進む。
ステップＳ１０２で撮像装置１００は、動画撮影を開始する。このように撮影した動画を記憶する（動画撮像手段）。
その後ステップＳ１０４に進む。
【００２８】
ステップＳ１０３で撮像装置１００は、現在は動画撮影中の静止画設定ではないと判断した場合には、図４の「レンズ駆動中の静止画撮影」メニューをグレーアウトする。
【００２９】
ステップＳ１０４で撮像装置１００は、動画撮影中にユーザによりレリーズボタン（Ｓｗ）が押下されたか否かを判断する。動画撮影中にユーザによりレリーズボタンが押下されたと判断した場合にはステップＳ１０５に進む。つまりここで動画撮影中に、静止画の撮像指示を受け付けている（受付手段）。
ステップＳ１０５で撮像装置１００は、図６のようにユーザが予め設定したオートフォーカス実行中の静止画設定を参照する。
【００３０】
ステップＳ１０６で撮像装置１００は、現在はオートフォーカス実行中の静止画設定であるか否かを判断する。現在はオートフォーカス実行中の静止画設定である場合にステップＳ１０７に進みオートフォーカス動作判断手段を行う。現在はオートフォーカス実行中の静止画設定ではない場合に、ステップＳ１０７のオートフォーカス動作判断手段はスキップする。
【００３１】
ステップＳ１０７で撮像装置１００は、ステップＳ１０４でレリーズボタン（Ｓｗ）の受付手段が撮影指示を受け付けたタイミングが、撮像装置１００に搭載されているレンズのオートフォーカス動作実行中であるか否かを判断する（オートフォーカス動作判断手段）。
【００３２】
撮影指示を受け付けたタイミングが、撮像装置１００に搭載されているレンズのオートフォーカス動作実行中であると判断される場合にはステップＳ１０９に進み、撮影指示を受け付けたタイミングが、撮像装置１００に搭載されているレンズのオートフォーカス動作実行中でない（停止中）と判断される場合にはステップＳ１０８に進む。
【００３３】
ステップＳ１０８で撮像装置１００は、ステップＳ１０４でレリーズボタン（Ｓｗ）が押下されたタイミングでの動画のフレーム番号（例えば１００番目）を記憶部に一時保存する。例えば図１２の２−１のように動画毎にＳｗが押下されたタイミングがわかるようなフレーム番号を記憶すればよい。その後ステップＳ１１０に進む。
ステップＳ１０９で撮像装置１００は、図８のような警告画面を表示部に表示する。その後ステップＳ１０４に進む。
このように、ステップＳ１０７でオートフォーカス動作実行中であると判断した場合に、ステップＳ１０４では受付手段が撮影指示を受け付けないことである。
図３を説明する。
図３は、本発明の実施形態を表すために撮像装置１００のシステム制御部１１２または図示しない撮像装置１００のＣＰＵが実行するフローチャートである。
【００３４】
ステップＳ１１０で撮像装置１００は、動画撮像手段による撮影中に、まずレンズの焦点距離値（例えば２５０ｍｍ）と現在の設定されているＴｖ値（例えば［１／１００］秒）を取得する（取得手段）。この時点で撮像装置に搭載されているレンズの焦点距離（例えば２５０ｍｍ）に対して現在の設定されているＴｖ値（例えば［１／１００］秒）が、手振れの限界値を計算するための式である［１／レンズの焦点距離］秒を超えているかいなかを判断する（判断手段）。つまり、［１／設定されているＴｖ値］秒の方が［１／レンズの焦点距離］秒よりも速いＴｖ値で既に撮影されている場合には被写体振れや手振れをした動画像が保存されてしまう可能性が高くなるためである。ここでＴｖ値とはシャッターの開閉スピード値のことである。
【００３５】
ここで手振れの限界値を超えている（いいえ）と判断した場合には手振れの限界値にこの時点で達していると判断し、現在の設定されているＴｖ値は変更しない。つまりステップＳ１１１からステップＳ１１３の処理は実行しないということである。
【００３６】
また、ここで手振れの限界値を超えていない（はい）と判断した場合には手振れの限界値にはこの時点で達していないと判断し、ステップＳ１１１からステップＳ１１３を実行して現在の設定されているＴｖ値は、手振れの限界値ギリギリまでもっと速くすることができると判断する。
さらに現在の設定されている絞り値（Ａｖ）とＩＳＯ値を取得する。
【００３７】
ステップＳ１１１で撮像装置１００は、ステップＳ１１０で取得した現在の設定されているＴｖ値（例えば［１／１００］秒）、絞り値（Ａｖ）とＩＳＯ値を記憶部に一時保存する。
【００３８】
ステップＳ１１２で撮像装置１００は、ステップＳ１１０で現在の設定されているＴｖ値は手振れの限界値には達していないと判断されたためであり、現在の設定されているＴｖ値（例えば［１／１００］秒）を手振れの限界値である（例えば［１／２５０］秒）秒まで速くする。つまり、ステップＳ１１１で手振れ限界値には達していないと判断した場合には、取得したシャッタースピード値を手振れ限界値に近づくまで設定変更した動画を動画撮像手段が所定時間（例えば１秒間）撮影して記憶するということである。
【００３９】
ステップＳ１１３で撮像装置１００は、ステップＳ１１２で上げたＴｖ値に対し、ステップＳ１１０で取得したＡｖ値とＩＳＯ値を変化し、ステップＳ１１２以前と同じ露出になるように制御値を変化させる。この際、Ａｖを大きく変化させると被写界深度が大きく変わり、ＩＳＯを大きく変化させるとノイズが多くなってしまうのでバランスの調整が必要である。例えば、焦点距離２５０ｍｍのレンズの場合に、ステップＳ１１３での制御値補正（Ｔｖ値を上げた代わりにＩＳＯ値を上げる）を行うと下記のようになる。
Ｔｖ値：１００  Ａｖ値：１１  ＩＳＯ値：２００（元々の設定値）
⇒  Ｔｖ値：２５０  Ａｖ値：１１  ＩＳＯ値：４００（ステップＳ１１２、ステップＳ１１３での処理後）
【００４０】
ステップＳ１１４で撮像装置１００は、ステップＳ１０８においてレリーズボタン（Ｓｗ）が押下されたタイミングでの動画のフレーム番号（例えば１００番目）を記憶部に一時保存してから所定時間（例えば１秒）経過した否かを判断し、所定時間（例えば１秒）経過したと判断された場合にはステップＳ１１５に進む。
【００４１】
ステップＳ１１５で撮像装置１００は、ステップＳ１１４で所定時間（例えば１秒）の動画を手振れの限界値で撮影したと判断されたので、手振れの限界値である（例えば［１／２５０］秒）秒まで速くしたＴｖ値を、ステップＳ１１１で記憶部に一時保存した設定されているＴｖ値（例えば［１／１００］秒）、絞り値（Ａｖ）とＩＳＯ値に戻す。
ステップＳ１１６で撮像装置１００は、ユーザによる動画撮影終了指示を受け付けて動画撮影を終了する。
【００４２】
ステップＳ１１７で撮像装置１００は、ステップＳ１０８で記憶したフレーム番号から所定時間（例えば１秒）後までのフレーム番号までの全ての静止画を一時出力する。つまり、所定時間（例えば１秒間）記憶された手振れ限界値に近づくまで設定変更した動画の中から静止画を抽出している（抽出手段）。
【００４３】
ステップＳ１１８で撮像装置１００は、ステップＳ１１７で出力された全ての静止画の中からコントラスト評価値の高い上位４枚を選んで、図９に示すような画面を表示部に表示する。このように複数の異なる静止画を設定変更した動画の中から抽出している。
【００４４】
また、動画撮像手段による撮影した動画の記憶が終了したと判断されたあとに、静止画記憶手段が記憶している複数の異なる静止画を比較可能に並べて表示している（比較表示制御手段）。
【００４５】
ステップＳ１１９で撮像装置１００は、図１０に示すような画面を表示部に表示する。ステップＳ１１９で表示された画面の中からユーザが選択した静止画の選択情報を受け付ける。
【００４６】
ステップＳ１２０で撮像装置１００は、ステップＳ１１９において選択された静止画を保存する。つまりステップＳ１１７で抽出された静止画は記憶している（静止画記憶手段）。
図１１を説明する。
図１１は設定データである。
１−１は現在の動画記録中の静止画設定の有無を記憶する。図５により有無を切り替えることができる。
１−２は現在のレンズ駆動中の静止画撮影設定の有無を記憶する。図６により有無を切り替えることができる。
図１２を説明する。
２−１はステップＳ１０８で記憶される動画中の静止画にしたい、始めのフレーム番号である。
２−２はステップＳ１１１で記憶される制御値（Ｔｖ値、Ａｖ値、ＩＳＯ値）である。
その後元の制御値に戻す際に使用する制御値情報。
２−３はレンズ駆動状態であり記録中にＳｗ押下された際にレンズが駆動しているかの情報である。
図１３を説明する。
【００４７】
３−１はステップＳ１１８で記憶される始めのフレーム番号から１秒後の始めのフレーム番号の中で、コントラスト評価値が高い画像のフレーム番号（４枚）である
３−２はステップＳ１２０で記憶されるユーザに選択された画像のフレーム番号フレーム番号（１枚）である。
【００４８】
また、本発明におけるプログラムは、図２乃至図３に示すフローチャートの処理方法を撮像装置１００が実行可能なプログラムであり、本発明の記憶媒体は図２乃至図３の処理方法を撮像装置１００が実行可能なプログラムとして、撮像装置１００のＲＯＭ１１２に記憶されている。
【００４９】
以上のように、前述した実施形態の機能を実現するプログラムを記録した記録媒体を、撮像システムあるいは撮像装置に供給し、そのシステムあるいは装置の制御コンピュータ（またはＣＰＵやＭＰＵ）が記録媒体に格納されたプログラムを読出し実行することによっても、本発明の目的が達成されることは言うまでもない。
【００５０】
この場合、記録媒体から読み出されたプログラム自体が本発明の新規な機能を実現することになり、そのプログラムを記憶した記録媒体は本発明を構成することになる。
【００５１】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００５２】
また、コンピュータが読み出したプログラムを実行することにより、前述した実施形態の機能が実現されるだけでなく、そのプログラムの指示に基づき、制御コンピュータ上で稼働しているＯＳ（オペレーティングシステム）等が実際の処理の一部または全部を行い、その処理によって前述した実施形態の機能が実現される場合も含まれることは言うまでもない。
【００５３】
さらに、記録媒体から読み出されたプログラムが、制御コンピュータに挿入された機能拡張ボードや制御コンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００５４】
また、本発明は、複数の機器から構成される撮像システムに適用しても、１つの機器からなる撮像装置に適用してもよい。また、本発明は、撮像システムあるいは撮像装置にプログラムを供給することによって達成される場合にも適応できることは言うまでもない。この場合、本発明を達成するためのプログラムを格納した記録媒体を該撮像システムあるいは撮像装置に読み出すことによって、その撮像システムあるいは撮像装置が、本発明の効果を享受することが可能となる。
【００５５】
さらに、本発明を達成するためのプログラムをネットワーク上のサーバ，データベース等から通信プログラムによりダウンロードして読み出すことによって、その撮像システムあるいは撮像装置が、本発明の効果を享受することが可能となる。
なお、上述した各実施形態およびその変形例を組み合わせた構成も全て本発明に含まれるものである。
【符号の説明】
【００５６】
１００  撮像装置（一眼レフデジタルカメラ）
【図１】
0006354377.tif 000002
【図２】
0006354377.tif 000003
【図３】
0006354377.tif 000004
【図４】
0006354377.tif 000005
【図５】
0006354377.tif 000006
【図６】
0006354377.tif 000007
【図７】
0006354377.tif 000008
【図８】
0006354377.tif 000009
【図９】
0006354377.tif 000010
【図１０】
0006354377.tif 000011
【図１１】
0006354377.tif 000012
【図１２】
0006354377.tif 000013
【図１３】
0006354377.tif 000014